(57)【特許請求の範囲】
【請求項１】
ベース体と、複数の支持脚取付部材と、複数の支持脚とを有し、
ベース体は平面視略方形形状で支持脚装着孔を上下に貫通して複数有し、
支持脚取付部材は雌ねじ部を上下に貫通して有するとともに前記支持脚装着孔に嵌合連結し、
支持脚はボルト部材と当該ボルト部材の下端に連結可能なスペーサーとを有し、
ボルト部材は、挿入方向先端に工具被操作部を有し、且つ挿入方向後端に係合部を有しており、
スペーサーは上端に係合凹部を有して下端に係合凸部を有し、
スペーサーの係合凹部は、ボルト部材の係合部に螺合連結可能であり、
スペーサーの係合凸部は、他のスペーサーの係合凹部と螺合連結可能であり、
ボルト部材は支持脚取付部材雌ねじ部に工具被操作部を先端にして螺合連結してあることを特徴とするデッキ部材。
【請求項２】
ボルト部材の係合部とスペーサーの係合凹部との螺合、
及びスペーサーの係合凸部と他のスペーサーの係合凹部との螺合は、一方の螺合中心にガイドピンを設け他方の螺合中心にピン受け孔を設けてあることを特徴とする請求項１記載のデッキ部材。
【請求項３】
支持脚はボルト部材の係合部及びスペーサーの係合凸部に共通して嵌着できる台座を有していることを特徴とする請求項１又は２に記載のデッキ部材。
【発明の詳細な説明】
【技術分野】
【０００１】
本発明は、ベランダ、通路、庭等に建物出入口や通路等との段差を解消するために敷設するデッキ部材に関し、特に安定した支持脚構造に特徴がある。
【背景技術】
【０００２】
ベランダや庭等と、建物出入口や通路等の室内側床面との段差を解消する目的で、所定高さに水平床面を形成するデッキ部材が採用されている。
例えば、図２１に示すようにベース体１２０に上下に貫通する取付筒１２１ｂを設けて、この取付筒１２１ｂに雌ねじ部１３１ａを有する取付部材１３１を取り付け、取付部材１３１に高さ調整用ボルト部材１３２を螺合し、このボルトを工具５で回転し高さ調整する技術を開示する。
この場合にボルト部材１３２だけでは高さが不足する際にはボルト部材１３２の下端にスペーサー１３５を取り付けることになる。
しかし、スペーサー及びボルト部材は生産性の高い射出成形等による樹脂成形品を用いているために、寸法のバラツキが大きく、スペーサー１３５の凹部とボルト１３２の間にスキやガタが生じやすく、ボルト部材１３２からスペーサー１３５が工具操作による回転で外れたり、デッキ上を歩行者が通行する際の振動にて外れてしまう問題があった。
特開２００３−２１３９１１号公報には、スペーサーを螺合により取り付ける技術を開示するが、スペーサーの取付作業性が良くなく、高さ調整作業も工数がかかり、脚部の支持安定性にも問題があった。
【０００３】
【特許文献１】特開２００３−２１３９１１号公報
【発明の開示】
【発明が解決しようとする課題】
【０００４】
本発明は上記技術的課題に鑑みて、支持脚にスペーサーを連結する際に取付作業性が良く、連結部の連結信頼性が高く支持安定性に優れたデッキ部材の提供を目的とする。
【課題を解決するための手段】
【０００５】
本発明の技術的要旨は、ベース体と、複数の支持脚取付部材と、複数の支持脚とを有し、ベース体は平面視略方形形状で支持脚装着孔を上下に貫通して複数有し、支持脚取付部材は雌ねじ部を上下に貫通して有し、支持脚はボルト部材と必要に応じて連結可能なスペーサーとを有し、ボルト部材は、挿入方向先端に工具被操作部を有し、且つ挿入方向後端に係合部を有しており、スペーサーは一端に係合凹部を有して他端に係合凸部を有し、スペーサーの係合凹部は、ボルト部材の係合部に係合連結可能であり、スペーサーの係合凸部は、他のスペーサーの係合凹部と係合連結可能であり、支持脚取付部材は支持脚装着孔に嵌合連結し、ボルト部材は支持脚取付部材雌ねじ部に工具被操作部を先端にして螺合連結してあることを特徴とする。
【０００６】
本発明は、ボルト部材の係合部とスペーサーの係合凹部の係合は螺合であり、スペーサーの係合凸部と他のスペーサーの係合凹部との係合は螺合である。
【０００７】
本発明は、ボルト部材の係合部とスペーサーの係合凹部との螺合、及びスペーサーの係合凸部と他のスペーサーの係合凹部との螺合は、一方の螺合中心にガイドピンを設け他方の螺合中心にピン受け孔を設けてあってもよい。
【０００８】
本発明は、支持脚はボルト部材の係合部及びスペーサーの係合凸部に共通して嵌着できる台座を有してもよい。
【０００９】
本発明で、ボルト部材は工具被操作部より下方に硬化性樹脂注入部を有し、硬化性樹脂注入部からねじ部に向けて貫通孔を有してもよい。
これにより、硬化性樹脂を注入部に注入すると、ねじ部にゆっくりと流れ込み、その後に硬化し、ねじ部の廻り止めになる。
また、ボルト部材を強く廻すとこの硬化樹脂ははがれるので高さの再調整も可能である。
【発明の効果】
【００１０】
本発明に係るデッキ部材においては、デッキ部材高さを調整するために支持脚に連結するスペーサーは、高さ調整用のボルト部材、あるいは、複数連結する別のスペーサーと螺合等の係合で連結する。
このため、高さ調整のために支持脚を回転操作してもスペーサーが外れることはなく、歩行者等の通過による振動で外れることもない。
特にベランダ等の床面に傾斜がある場合にも支持安定性が高い。
ボルト部材とスペーサー、あるいは、スペーサー同士は、ガイドピンをピン受け孔に嵌めてガイドしながら螺合させるために、簡単に螺合連結出来て作業性が良い。
【発明を実施するための最良の形態】
【００１１】
図１は本発明に係るデッキ部材の実施例の説明図で、バルコニー等のコンクリート製床面２に適用した状態の側面を模式的に描いてある。
バルコニー１の床面２は室内側床面３より低く形成してあり、出入口４側にはステップ２ａを形成し、バルコニー１のはね出し方向側端には排水溝２ｂが形成してある。
室外と室内の間には出入口として戸４ａが取り付けられている。
バルコニー床面２上には、平面視略方形形状のデッキ部材１０を複数敷設し、このデッキ部材１０が納まらないスペースになると一部を切断した寸法調整用のデッキ部材１０ａを敷設する。
図１は模式的に一枚ずつ表示する。
図８（ａ）、図８（ｂ）に表側から見たデッキ部材１０、１０ａの外観斜視図を示し、図１６に裏側から見た外観斜視図を示す。
デッキ部材１０、１０ａはベース体２０にベース体２０、２０ａを支持する複数の支持脚３０ａ、３０ｂ、３０ｃを支持脚取付部材３１あるいは支持脚格子取付け部材４０を用いて取り付けてあり、ベース体２０、２０ａの上面には中間部材６０、６０ａを用いて床材５０、５０ａを取り付けてある。
デッキ部材１０、１０ａは、それぞれの支持脚３０ａ、３０ｂ、３０ｃと支持脚取付部材３１、あるいは支持脚格子取付部材４０とで形成する高さを適度に調整することで、デッキ部材床面１０ｃ、１０ｄを例えば室内床面３との間に段差を生じないように、所定高さに水平に設置可能としてある。
ベース体２０の表面を図９（ａ）に示し、裏面を図９（ｂ）に示す。
また、裏側から見た外観斜視図を図１０に示す。
ベース体２０は、所定位置に複数の支持脚装着部２１と、支持脚装着部２１間を連結する縦桟２２ｂと横桟２２ｃとからなる格子体部２２とを有して略方形板状に形成してあり、上面の所定位置には係合爪２３を複数設けてある。
また、ベース体２０の側面部分には、他のベース体２０と雄雌の嵌合で連結して複数のデッキ部材を連設出来るようにした、連結オス部２４と連結メス部２５とを設けてある。
支持脚装着部２１は、上下方向の支持脚取付筒２１ｂを設けてその内側にベース体２０を上下に貫通する支持脚装着孔２１ａを形成してある。
この装着用筒２１ｂは支持脚取付部材３１に取り付けた支持脚を下方から支持脚取付筒２１ｂの下端に嵌合装着するもので、その嵌合装着構造は後述する。
格子体部２２は図９に示すように、ベース体２０上面から下面に渡る複数の縦桟２２ｂと横桟２２ｃとを所定位置に略升目形に配置して縦桟２２ｂと横桟２２ｃの交差部分に交差部２２ａを形成したもので、各桟間にベース体２０を上下に貫通する複数の格子穴２２ｄを設けてある。
ベース体２０は、この格子穴２２ｄを横切るように切断することで、設置スペースに合わせた大きさに容易に分断して寸法調整用のベース体２０ａとすることが出来る。
図１に示す支持脚３０ａは、ボルト部材３２にスペーサー３５を連結してこのスペーサー３５に、下端に台座３８を取り付けた他のスペーサー３５ａを連結してあり、ボルト部材３２を支持脚取付部材３１に取り付けてベース体２０に装着してある。
支持脚３０ｂは、ボルト部材３２に、下端に台座３８を取り付けたスペーサー３５を連結してあり、ボルト部材３２を支持脚取付部材３１に取り付けてベース体２０に装着してある。
支持脚３０ｃは、下端に台座３８を取り付けたボルト部材３２を連結してあり、支持脚取付部材３１に取り付けてベース体２０ａ、あるいは、支持脚格子取付部材４０に取り付けてベース体２０ａに装着してある。
この支持脚格子取付部材４０のベース体２０ａへの取付構造は後述する。
【００１２】
図１に示す支持脚取付部材３１の外観図を図２に示し、図３（ａ）にボルト部材３２の外観図を示し、図４にスペーサー３５の外観図を示し、図５に台座３８の外観図を示す。
図２に示す支持脚取付部材３１は略円柱形で、略円柱形の外周に、上向きに開口する取付筒受け凹部３１ｂを設けてあり、この取付筒受け凹部３１ｂはベース体の支持脚取付筒２１ｂに下方から嵌合可能としてある。
そして、雌ねじ部３１ａを略円柱形の中心軸を通り上下に貫通させて有している。
各部品は説明のために、デッキ部材設置時に上側となる側を上部、下側となる側を下部と称する。
図３（ａ）に示すボルト部材３２は、雄ねじ３３ａを外周に有するボルト部３３と、上方からドライバー等の工具を係合させる工具被操作部３３ｂと、雄ねじ３４ａを外周に有してボルト部３３より拡径してある係合部３４とを有している。
工具被操作部３３ｂはボルト部３３の挿入方向先端に形成してあり、係合部３４はボルト部３３の挿入方向後端に配設してある。
そして、係合部３４の下面から雄ねじ３４ａの中心軸と同心でその螺合方向に断面円形に凹ませたピン受け孔３４ｂを設けてある。
図３（ｂ）に示すボルト部材３２ａは図３（ａ）に示すボルト部材３２のボルト部を長くしたもので、ボルト部材はデッキ部材高さを設定するにあたり適当な長さのものを選択使用すれば良い。
ボルト部３３は、図２に示す支持脚取付部材３１の雌ねじ部３１ａに螺合可能としてある。
工具被操作部３３ｂはボルト部３３の挿入方向を開口させた凹形で形成してあり、、ボルト部３３を支持脚取付部材３１の雌ねじ部３１ａに螺合させた状態で、雌ねじ部３１ａの上方開口側から工具を通して係合させて、ボルト部３３を回転させてボルト部材を進退操作可能としてある。
図４に示すスペーサー３５は略円柱形で、略円柱形上端は内周に雌ねじ３６ａを有するスペーサー側の係合凹部３５を下向きに凹ませて形成してある。
略円柱形下端にはスペーサー側の係合凸部３７を雄ねじ３７ａを外周に形成して下向きに突出させて形成してある。
係合凹部３６内には、ガイドピン３６ｂを雌ねじ３６ａの中心軸と同心で、ボルト部材３２のピン受け孔３４ｂに嵌合出来るように雌ねじ３６ａの螺合方向上向きに突出させてある。
また、係合凸部３７の下面から、雄ねじ３７ａの螺合方向に係合凸部３７の雄ねじ３７ａの中心軸と同心で断面円形に凹ませたピン受け孔３７ｂを、他のスペーサーに設けてあるガイドピン３６ｂを嵌められるように設けてある。
係合凹部３６は、内周の雌ねじ３６ａでボルト部材３２のボルト部材側の係合部３４に、ガイドピン３６ｂをボルト部材３２のピン受け孔３４ｂに嵌めて螺合可能としてある。
そして、係合凹部３６は別のスペーサーの係合凸部３７とも、ガイドピン３６ｂを別のスペーサーのピン受け孔３７ｂに嵌めて螺合可能としてある。
また、スペーサー係合凸部３７は図５に示すゴム製の台座３８を嵌着できるようになっている。
【００１３】
図３（ｃ）には、ボルト部材３２ｂの工具被操作部３３ｂの下方に硬化性樹脂注入部３９を形成した例を示す。
注入部３９からは、ねじ部に向けて貫通孔３９ａを形成してある。
図３（ｄ）には、めねじ側を省略した硬化性樹脂注入後の断面図を示す。
ボルト部材の高さを調整後に樹脂を注入することで、硬化性樹脂７０は貫通孔３９ａからねじ部に流れ込み硬化する。硬化した樹脂がねじの廻り止めになる。
なお、硬化性樹脂であれば接着性は必ずしも必要でなく、ボルト部材がＰＰ樹脂であってもよい。
【００１４】
支持脚取付部材及び支持脚をデッキ部材から取り外した外観図を図６に示す。
図６（ａ）、図６（ｂ）、図６（ｃ）はそれぞれ支持脚取付部材３１に取り付けた支持脚３０ａ、３０ｂ、３０ｃを示し、図６（ｄ）は支持脚格子取付部材４０から取り外した支持脚３０ｃのみを示す。
支持脚格子取付部材４０を用いた支持脚３０ｃの取付構造については後述する。
ボルト部材３２の係合部３４にはスペーサー３５が螺合により、あるいは台座３８が嵌め込みにより連結してある。
係合部３４とスペーサー３５との連結は、図３に示す係合部３４の雄ねじ３４ａと、図４に示す係合凹部３６の雌ねじ３６ａとを螺合させ、ボルト部材３２のピン受け孔３４ｂにスペーサーのガイドピン３６ｂを嵌めてある。
支持脚３０ａのスペーサー３５の係合凸部３７には、他のスペーサー３５ａの係合凹部３６を連結してある。
スペーサー同士の連結は、図４に示す係合凸部３７の雄ねじ３７ａと、別のスペーサー３５ａの係合凹部３６の雌ねじ３６ａとを螺合させ、ピン受け孔３７ｂにガイドピン３６ｂを嵌めてある。
このように、スペーサーは複数個を連結出来る。
ボルト部材とスペーサー、あるいは、スペーサー同士は、ガイドピンをピン受け孔に嵌めてガイドしながら螺合させるために、簡単にねじ溝を合わせることが出来、作業性が良い。
そして、最下端のスペーサー３５ａのスペーサー係合凸部３７の雄ねじ３７ａには、台座３８を嵌着してある。
支持脚３０ｃは、ボルト部材３２の係合部３４には台座３８を嵌着してある。
支持脚は、スペーサーの連結数を選択して高さを段階的に調整したり、支持脚取付部材３１へのボルト部材ボルト部の螺合深さを変えて、その高さを連続的に調整する。
【００１５】
図７は支持脚を高さ調整する状態の説明図を示す。
図７（ａ）、図７（ｂ）、図７（ｃ）は、図６（ａ）、図６（ｂ）、図６（ｃ）にそれぞれ示す支持脚３０ａ、３０ｂ、３０ｃを支持脚取付部材３１でデッキ部材ベース体に取り付けた状態を示す。
支持脚３０ａ、３０ｂ、３０ｃは、支持脚取付部材３１の取付筒受け凹部３１ｂを支持脚取付筒２１ｂに下方から嵌め込んである。
雌ねじ部３１ａは支持脚装着孔２１ｂに向けた状態としてあり、この支持脚取付部材３１の雌ねじ部３１ａにボルト部材３２のボルト部３２ａを螺合させてデッキ部材ベース体２０を支持するように取り付けてある。
図１に示す支持脚格子取付部材４０を用いた支持脚３０ｃの取付構造については後述する。
支持脚３０ａ、３０ｂ、３０ｃの高さ調整は、上方から支持脚装着孔２１ａを通して工具５を差し込んでボルト部３３先端の工具被操作部３３ｂに係合させ、工具５を回転することで雌ねじ部３１ａに対してボルト部３３を高さ方向の進退操作させて行う。
工具５がボルト部材３２を回転させると、ボルト部材３２に連結してあるスペーサー３５、３５ａや、台座３８も共に回転するが、ボルト部材３２とスペーサー３５とは螺合で連結してあり、スペーサー同士も螺合で連結してあるため、スペーサー３５、３５ａが外れることを防止してある。
【００１６】
次に図１に示す支持脚格子取付部材４０を用いた支持脚取付構造について説明する。
支持脚格子取付部材４０を斜め表側から見た斜視図を図１１（ａ）に示し、斜め裏側から見た斜視図を図１１（ｂ）に示す。
また、支持脚格子取付部材４０を表側からみた外観図を図１２に示す。
支持脚格子取付部材４０は、略板状のベース板４１に格子連結体４２と支持脚取付体４６とを配設してある。
格子連結体４２は、ベース板４１の上面から突出させた弧形突出片４３ａ、４３ｂ、４３ｃ、４３ｄと、その弧形突出片の間に圧入溝４４とガイド溝４５とを有している。
各弧形突出片４３ａ、４３ｂ、４３ｃ、４３ｄは同心で略円筒形を形成するように配設してあり、弧形突出片４３ａ、４３ｂ間と、弧形突出片４３ｃ、４３ｄ間に圧入溝４４を設け、弧形突出片４３ｂ、４３ｃ間と弧形突出片４３ｄ、４３ａ間にガイド溝４５を設けてある。
圧入溝４４とガイド溝４５は格子連結体４２の中心軸４２ａから略十字方向となる位置に、格子連結体４２を各弧形突出片に切り分けるように設けてある。
ガイド溝４５は、図９（ｂ）に示すベース体の裏側方向から、格子体部２２の交差部２２ａ位置を弧形突出片の同心中心軸位置に合わせ、この交差部２２ａを形成する縦桟２２ｂ、横桟２２ｃのいずれかをこの同心中心軸と平行に挿入可能としてある。
圧入溝４４は、両ガイド溝４５を通り弧形突出片の同心中心軸４２ａを通る径方向に対して、弧形突出片の同心中心軸を通り直角となる径方向の位置よりも、その溝口位置を弧形突出片の弧形周方向に所定角度ずらしてある。
そして、圧入溝４４の溝内壁には、弧形突出片４３の弧形周方向に傾斜させたテーパー部４４ｂを設けてある。
よって、交差部２２aを形成する桟のガイド溝４５及び圧入溝４４への挿入は、ガイド溝４５に一方の桟を挿入しつつ、他方の桟を、圧入溝４４の溝口へ交差部２２ａを形成する桟あるいは弧形突出片を撓ませつつ挿入し、加えてテーパー部による傾斜で更に交差部２２ａを形成する桟、あるいは弧形突出片撓ませつつ行うものとしてある。
これにより、交差部２２ａを形成する桟と圧入溝４４との摩擦抵抗力を大きくして桟と格子連結体４２とを係着させる。
支持脚取付体４６はベース板４１を上下に貫通する筒形に形成してあり、筒形内に雌ねじ４６ａを設けてボルト部材３２を螺合可能としてある。
格子連結体４２と支持脚取付体４６は、格子連結体４２の弧形突出片４３の同心中心軸４２ａに対して支持脚取付体４６の中心軸４６ｂが偏心する位置となるようにベース部４１に配設してある。
【００１７】
支持脚格子取付部材のデッキ部材ベース体の格子体部への取付け構造について説明する。
図１５（ａ）は支持脚格子取付部材４０をベース体２０ａの交差部２２ａ部分に取り付けて上方から見た説明図を示す。
支持脚格子取付部材４０は縦桟２２ｂにガイド溝４５を嵌め、横桟２２ｃに圧入溝４４を嵌めて、ガイド溝４５で挿入方向にガイドしながら、圧入溝４４で交差部２２ａを形成する桟２２ｂ、２２ｃ、あるいは弧形突出片を撓ませて挿入して摩擦抵抗力で係着してある。
図１３は支持脚格子取付部材４０を格子体部２２へ取り付け、その支持脚格子取付部材４０に支持脚を取り付ける手順の説明図を示す。
又、図１４（ａ）は分断したベース体２０ａに取付部材４０で支持脚３０ａを取り付ける前の状態の斜視図を示し、図１４（ｂ）は取付部材４０で支持脚３０ａを取り付けた状態の斜視図を示す。
また、図１５（ｂ）、図１５（ｃ）、図１５（ｄ）は交差部２２ａの中心軸に対して取付部材４０の弧形突出片４３の同心中心軸４２ａを合わせて、交差部２２ａの桟を嵌める圧入溝４４とガイド溝４５を取付部材４０を約９０度回転させて変えて嵌合させた状態の説明図を示す。
支持脚格子取付部材４０は格子体部２２のいずれかの交差部２２ａの縦桟２２ｂ、横桟２２ｃに図１３（ａ）に示すように圧入溝４４あるいはガイド溝４５を合わせて、図１３（ｂ）に示すように嵌め込む。
ガイド溝４５は、ベース部４１の上面と垂直方向に開口して形成してあり、ベース板４１は少なくとも２つの桟間に跨る大きさに形成してあるため、ガイド溝４５を桟に嵌めることでベース板４１の上面は桟下面に面接するようにあてがわれる。
一方、圧入溝４４への縦桟２２ｂの嵌合は、支持脚格子取付部材４０のガイド溝４５に浅く横桟２２ｃを嵌めた後、ひねり入れて行う。
圧入溝４４は弧形突出片４３ａ、４３ｃの弧形周方向のテーパー部４４ｂを溝内壁に設けてあるため、圧入溝４４への挿入につれて桟は更にひねられて、摩擦抵抗力を増大させる。
図１５（ａ）は弧形突出片４３および桟の撓みをわかりやすくするため、大きく描いてある。
圧入溝４４とガイド溝４５は、略十字方向に配置してあるため、交差部２２ａの十字形に合わせて支持脚格子取付部材４０を約９０度回転させることで、図１５（ａ）、図１５（ｂ）、図１５（ｃ）、図１５（ｄ）に示すように支持脚取付体４６のベース体２０ａに対する位置を変えて取付出来る。
この時の支持脚取付体４６の位置は、いずれの位置でもベース体２０ａの格子体部２２の格子穴２２ｄ位置となるように設定してある。
ベース体２０ａに取り付けた支持脚格子取付部材４０の支持脚取付体４６の雌ねじ４６ａには、図１３（ｃ）に示すように下方から図１に示すいずれかの支持脚のボルト部材３２を螺合により連結させる。
支持脚取付体４６は格子穴２２ｄ位置となるようにベース板４１に配設してあるため、ベース体２０ａの上方から格子穴２２ｄ、支持脚取付体４６の雌ねじ部４６ａを通して、工具５をボルト部材３２の工具披操作部３３ｂに係合させ、工具５を回転操作してボルト部材３２を回転し、支持脚の高さ調整する。
【図面の簡単な説明】
【００１８】
【図１】本発明に関するデッキ部材の実施例を、バルコニー床面に適用した状態の説明図を示す。
【図２】雌ねじ部材の外観図を示す。
【図３】ボルト部材の外観図を示す。
【図４】スペーサーの外観図を示す。
【図５】台座の外観図を示す。
【図６】支持脚取付部材及び支持脚をデッキ部材から取り外した外観説明図を示す。
【図７】支持脚をデッキ部材ベース体に取付けて高さ調整する状態の説明図を示す。
【図８】デッキ部材を斜め表側から見た外観斜視図を示す。
【図９】ベース体の外観図を示す。
【図１０】ベース体を裏側から見た外観斜視図を示す。
【図１１】支持脚格子取付部材の外観斜視図を示す。
【図１２】支持脚格子取付部材の表側の外観図を示す。
【図１３】支持脚格子取付部材を格子体部に取り付ける手順の説明図を示す。
【図１４】ベース体に支持脚を支持脚格子取付部材で取り付ける状態の説明図で、（ａ）は取付け前の状態の外観斜視図を示し、（ｂ）取付け後の状態の外観斜視図を示す。
【図１５】支持脚格子取付部材を格子体部に嵌めた状態の説明図を示す。
【図１６】デッキ部材を裏側から見た外観斜視図を示す。
【図１７】従来のスペーサーを取り付けた支持脚のデッキ部材ベース体への取付け構造の説明図を示す。
【符号の説明】
【００１９】
１      バルコニー
２      バルコニー床面
２ａ    ステップ
２ｂ    排水溝
３      室内床面
４      出入口
５      工具
１０    デッキ部材
１０ａ  寸法調整用のデッキ部材
１０ｃ、１０ｄ  デッキ部材床面
２０    ベース体
２０ａ  寸法調整用のベース体
２１    支持脚装着部
２１ａ  支持脚装着孔
２１ｂ  支持脚取付体
２２    格子体部
２２ａ  交差部
２２ｂ  縦桟
２２ｃ  横桟
２２ｄ  格子穴
２３    ベース体側係合爪
２４    連結オス部
２５    連結メス部
３０ａ、３０ｂ、３０ｃ  支持脚
３１    支持脚取付部材
３１ａ  雌ねじ部
３１ｂ  取付筒受け凹部
３２、３２ａ、３２ｂ  ボルト部材
３３    ボルト部
３３ａ  雄ねじ
３３ｂ  工具被操作部
３４    ボルト部材側の係合部
３４ａ  雄ねじ
３４ｂ  ピン受け孔
３５、３５ａ  スペーサー
３６    スペーサー側の係合凹部
３６ａ  雌ねじ
３６ｂ  ガイドピン
３７    スペーサー側の係合凸部
３７ａ  雄ねじ
３７ｂ  ピン受け孔
３８    台座
３８ａ  台座凹部
４０    支持脚格子取付部材
４１    支持脚格子取付部材ベース板
４１ａ  リブ
４２    格子連結体
４２ａ  格子連結体中心軸
４３ａ、４３ｂ、４３ｃ、４３ｄ  弧形突出片
４４    圧入溝
４４ａ  圧入溝口
４４ｂ  テーパー部
４５    ガイド溝
４６    支持脚取付体
４６ａ  雌ねじ部
４６ｂ  雌ねじ部中心軸
４６ｃ、４６ｄ  リブ
５０、５０ａ、５０ｂ  床材
７０    硬化性樹脂
【図１】
0004825592.tif 000002
【図２】
0004825592.tif 000003
【図３】
0004825592.tif 000004
【図４】
0004825592.tif 000005
【図５】
0004825592.tif 000006
【図６】
0004825592.tif 000007
【図７】
0004825592.tif 000008
【図８】
0004825592.tif 000009
【図９】
0004825592.tif 000010
【図１０】
0004825592.tif 000011
【図１１】
0004825592.tif 000012
【図１２】
0004825592.tif 000013
【図１３】
0004825592.tif 000014
【図１４】
0004825592.tif 000015
【図１５】
0004825592.tif 000016
【図１６】
0004825592.tif 000017
【図１７】
0004825592.tif 000018